【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  画素毎に単一方向性の光路を呈する第１の光と双方向性の光路を呈する第２の光とを着色するカラーフィルタであって、
前記第１の光を着色するための第１着色部と前記第２の光を着色するための第２着色部とを有し、前記第１着色部は、前記第２着色部よりも大なる厚さを有し、前記第１着色部は、前記第２着色部から沈下して形成され、前記第１着色部の主面と前記第２着色部の主面とに所定の値の高さの差があり、前記第１着色部と前記第２着色部とに当該所定の値だけ異なる高さを持たせるための、前記第１着色部に対応する底面及び所定の高さの壁面を有する少なくとも１つの凹状部を有する光透過性材質の段差形成層をさらに有し、前記凹状部は、平面図上５辺以上の線分によって囲まれた多角形又は曲線の輪郭を少なくとも一部として有する形状である、
カラーフィルタ。
【請求項２】  請求項１に記載のカラーフィルタであって、前記所定の値は、当該カラーフィルタが適用される液晶表示パネルに用いられる液晶層の前記第１着色部に対応する部分が前記第１の光に対し奏する光学作用と当該液晶層の前記第２着色部に対応する部分が前記第２の光に対し奏する光学作用とを互いに略同等又は共に適正なものとするのに要求される値である、ことを特徴とするカラーフィルタ。
【請求項３】  請求項２に記載のカラーフィルタであって、当該光学作用は、リタデーション生起作用である、ことを特徴とするカラーフィルタ。
【請求項４】  請求項１，２又は３に記載のカラーフィルタであって、前記第１着色部と前記第２着色部は、同一光路及び同一特性の光が透過したときに前記第１着色部が前記第２着色部よりも大なる着色効果を呈するような厚さをそれぞれ有する、ことを特徴とするカラーフィルタ。
【請求項５】  請求項４に記載のカラーフィルタであって、前記第１着色部は、前記第２着色部の略２倍の厚さを有する、ことを特徴とするカラーフィルタ。
【請求項６】  請求項１ないし５のうちいずれか１つに記載のカラーフィルタであって、前記段差形成層は、光透過性母材と、この母材とは異なる屈折率を有しかつこれに散在して混入された多数の光透過性粒子とを含む、ことを特徴とするカラーフィルタ。
【請求項７】  画素毎に単一方向性の光路を呈する第１の光と双方向性の光路を呈する第２の光とを着色するカラーフィルタを用いた液晶表示装置であって、
前記カラーフィルタは、前記第１の光を着色するための第１着色部と前記第２の光を着色するための第２着色部とを有し、前記第１着色部は、前記２着色部よりも大なる厚さを有し、前記第１着色部は、前記第２着色部から沈下して形成され、前記第１着色部の主面と前記第２着色部の主面とに所定の値の高さの差があり、前記第１着色部と前記第２着色部とに当該所定の値だけ異なる高さを持たせるための、前記第１着色部に対応する底面及び所定の高さの壁面を有する少なくとも１つの凹状部を有する光透過性材質の段差形成層をさらに有し、前記凹状部は、平面図上５辺以上の線分によって囲まれた多角形又は曲線の輪郭を少なくとも一部として有する形状である、
液晶表示装置。
【請求項８】  請求項７に記載の液晶表示装置であって、
前記カラーフィルタは、当該液晶表示装置の表示面側の基板に設けられ、
当該反対側の基板には、前記第１の光を透過させる透過電極部と前記第２の光を反射させる反射電極部とを有する画素電極が設けられ、
前記第１着色部の領域は前記透過電極部の領域と、前記第２着色部の領域は前記反射電極部の領域と位置合わせされている、
ことを特徴とする液晶表示装置。
【請求項９】  請求項８に記載の液晶表示装置であって、前記透過電極部と前記反射電極部とは、互いに略同一の高さの主面を有する、ことを特徴とする液晶表示装置。
【請求項１０】  請求項８に記載の液晶表示装置であって、前記透過電極部の主面と前記反射電極部の主面とは高さの差があり、この差と前記所定の値との総合値は、当該液晶表示装置に用いられる液晶層の前記透過電極部に対応する部分が前記第１の光に対し奏する光学作用と当該液晶層の前記反射電極部に対応する部分が前記第２の光に対し奏する光学作用とを略同等又は共に適正なものにするのに要求される値である、ことを特徴とする液晶表示装置。
【請求項１１】  画素毎に単一方向性の光路を呈する第１の光と双方向性の光路を呈する第２の光とを着色するカラーフィルタを製造する方法であって、
基体層上に光透過性材料を堆積する工程と、
前記光透過性材料の堆積層を、１つの画素において前記第１の光を透過させる領域に対応する所定の形状の底面及び所定の高さの壁面を有する少なくとも１つの凹状部が形成されるようパターン化して段差形成層を形成する工程と、
前記凹状部及び前記段差形成層に、前記第１及び第２の光を着色させるための材料を堆積し、それぞれ前記第１の光を着色するための第１着色部と前記第２の光を着色するための第２着色部とを形成し、前記第１着色部は、前記第２着色部よりも大なる厚さを有し、前記第１着色部は、前記第２着色部から沈下して形成され、前記第１着色部の主面と前記第２着色部の主面とに所定の値の高さの差があるようにした工程と、
を有し、
前記凹状部は、平面図上５辺以上の線分によって囲まれた多角形又は曲線の輪郭を少なくとも一部として有する形状とされる、
カラーフィルタの製造方法。
【請求項１２】  請求項１１に記載の方法に含まれる工程を有する液晶表示装置の製造方法であって、
当該製造方法において、前記カラーフィルタは、当該液晶表示装置の表示面側の基板に設けられ、当該反対側の基板には、前記第１の光を透過させる透過電極部と前記第２の光を反射させる反射電極部とを有する画素電極が設けられ、
当該製造方法は、前記第１着色部と前記透過電極部とを、前記第２着色部と前記反射電極部とを位置合わせする工程をさらに有する、
液晶表示装置の製造方法。
【請求項１３】  請求項１２に記載の液晶表示装置の製造方法であって、前記透過電極部と前記反射電極部とを略同等の高さで形成する画素電極形成工程をさらに有する、製造方法。
【手続補正２】
【補正対象書類名】明細書
【補正対象項目名】００２７
【補正方法】変更
【補正の内容】
【００２７】
この態様において、前記透過電極部と前記反射電極部とを略同等の高さで形成する画素電極形成工程をさらに有するものとすることができる。これにより、透過電極部と反射電極部とを異なる高さで形成しなければならない複雑な構造から解放され、当該反対側の基板、すなわち、いわゆる画素駆動素子が形成される基板アセンブリの仕上がり表面をほぼ平坦にすることができるので、取り扱いその他の処理が容易となる。
【手続補正３】
【補正対象書類名】明細書
【補正対象項目名】００７８
【補正方法】変更
【補正の内容】
【００７８】
基本的には、カラーフィルタにおける透過用の領域と反射用の領域は、当該表示デバイスにおいて扱われる上記第１の光と上記第２の光とにそれぞれ割り当てられた領域（ここに挙げた実施例においては画素電極に形成された透過部及び反射部の各領域）に対応し、その形状、配置及び数と同じである。したがって、上記実施例におけるが如き円形の第１着色部１０ｔとこれを囲繞する第２着色部１０ｒといった構成に代えて、当該第１着色部を平面図上矩形としたり、大略矩形だが丸みを帯びた形状（楕円を含む）を呈するものとしたり、５辺以上の線分によって囲まれた多角形とすることもできる。なお、段差形成層３０，３０Ａの凹部を、平面図上で内角の大きい多角形又は曲率半径の大きい曲線の輪郭を少なくとも一部として有する形状とすることは、所望のパターンを正確に形成する上で有利である。この点は、より微細な画素により構成される画面の表示装置ほど重要である。